(57)【特許請求の範囲】
【請求項１】
センタから送信される信号に応じて、高所に配置されたスピーカから、そのスピーカが支配する領域に音声を出力するようにした音声報知装置において、
前記スピーカから音声が出力されていない期間において、周囲の環境における騒音レベルを予測又は検出する騒音レベル検知手段と、
前記スピーカに出力する信号を増幅する可変利得増幅器と、
前記センタから送信された前記信号が緊急情報である場合には、前記騒音レベル検知手段の出力に係わらず前記可変利得増幅器の利得を基準値に制御して、前記スピーカの出力を最大の音声レベルとする緊急時制御手段と、
前記センタから送信された前記信号が緊急情報でない場合には、前記騒音レベル検知手段により得られる騒音レベルが所定値以上のときには、前記可変利得増幅器の利得を、基準値から一段階増加させて、前記スピーカの出力を前記センタから送信される信号に基づく音声レベルより１段階増加させた音声レベルとし、前記騒音レベル検知手段により得られる騒音レベルが所定値未満の場合には、前記可変利得増幅器の利得を、基準値として、前記スピーカの出力を前記センタから送信される信号に基づく音声レベルとする第１レベル制御手段と、
前記センタから送信される信号に含まれる音声出力期間を示すデータ信号により前記スピーカに給電開始された時に前記スピーカから出力される起動音と音声とを検出する音声レベル検出手段と、
前記音声レベル検出手段により、前記起動音が検出された場合には、前記可変利得増幅器に給電を開始し、前記音声レベル検出手段により検出される前記音声レベルが所定レベル以下となる期間が所定時間継続した時に、前記可変利得増幅器への給電を停止する給電制御手段と
を有することを特徴とする音声報知装置。
【請求項２】
センタから送信される信号に応じて、高所に配置されたスピーカから、そのスピーカが支配する領域に音声を出力するようにした音声報知装置において、
前記センタから送信される信号は、緊急情報と緊急情報でない情報とあり、緊急情報の信号レベルは最大で、緊急情報でない情報の信号レベルは、緊急情報の信号レベルよりも低く、情報に応じて異なる複数の信号レベルを有しており、
前記スピーカから音声が出力されていない期間において、周囲の環境における騒音レベルを予測又は検出する騒音レベル検知手段と、
夜間時間帯、又は、夜間時間帯以外の時間帯である昼間時間帯を設定する時間帯設定手段と、
前記スピーカに出力する信号を増幅する可変利得増幅器と、
前記センタから送信された前記信号が緊急情報である場合には、前記騒音レベル検知手段の出力及び現在時刻が前記時間帯設定手段に設定されている夜間時間帯、又は、昼間時間帯に属するか否かに係わらず前記可変利得増幅器の利得を基準値に制御して、前記スピーカの出力を最大の音声レベルとする緊急時制御手段と、
前記センタから送信された前記信号が緊急情報でない場合には、前記騒音レベル検知手段により得られる騒音レベルが所定値以上のときには、前記可変利得増幅器の利得を、基準値から一段階増加させて、前記スピーカの出力を前記センタから送信される信号に基づく音声レベルより１段階増加させた音声レベルとし、前記騒音レベル検知手段により得られる騒音レベルが所定値未満の場合には、前記可変利得増幅器の利得を、基準値として、前記スピーカの出力を前記センタから送信される信号に基づく音声レベルとする第１レベル制御手段と、
前記センタから送信された前記信号が緊急情報でない場合において、現在時刻が前記時間帯設定手段に設定された時間帯により夜間時間帯に存在すると判定された場合には、前記可変利得増幅器の利得を、前記第１レベル制御手段により設定された利得から１段階減少させて、前記スピーカの出力を前記第１レベル制御手段により制御される音声レベルより１段階減少させ、現在時刻が前記時間帯設定手段に設定された時間帯により昼間時間帯に存在すると判定された場合には、前記可変利得増幅器の利得を変化させずに、前記スピーカの出力を前記第１レベル制御手段により制御される音声レベルとする第２レベル制御手段と、
前記センタから送信される信号に含まれる音声出力期間を示すデータ信号により前記スピーカに給電開始された時に前記スピーカから出力される起動音と音声とを検出する音声レベル検出手段と、
前記音声レベル検出手段により、前記起動音が検出された場合には、前記可変利得増幅器に給電を開始し、前記音声レベル検出手段により検出される前記音声レベルが所定レベル以下となる期間が所定時間継続した時に、前記可変利得増幅器への給電を停止する給電制御手段と
を有することを特徴とする音声報知装置。
【請求項３】
前記可変利得増幅器は、利得固定の増幅器と、その増幅器の前段に設けられた可変減衰器とから成ることを特徴とする請求項１又は請求項２に記載の音声報知装置。
【請求項４】
前記騒音レベル検知手段は、前記環境の前記騒音レベルを検出する騒音センサであることを特徴とする請求項１乃至請求項３の何れか１項に記載の音声報知装置。
【請求項５】
前記騒音レベル検知手段は、前記環境の風速又は雨量を検出し、この風速又は雨量から前記環境の騒音レベルを予測する手段であることを特徴とする請求項１乃至請求項３の何れか１項に記載の音声報知装置。
【発明の詳細な説明】
【技術分野】
【０００１】
本発明は、屋外の電柱などの高所に設置されたスピーカから、所定エリアにおいて、音声による一般広報を行ったり、地震発生、つなみ襲来、土砂崩れ、河川氾濫などの緊急情報を報知する装置に関する。
【背景技術】
【０００２】
地域住民に対して、広報するシステムとして、下記特許文献１〜３に記載の技術が知られている。特許文献１では、サイレンや拡声器広報に代えて、バス停のポールに文字情報を音声出力により緊急情報を報知する装置を取り付ける技術が開示されている。また、特許文献２では、電柱や電話線支柱に、同様に、文字情報や音声出力による緊急警報を報知する装置を取り付けることが開示されている。また、特許文献３では、各ＰＨＳ基地局に音声合成装置と音声出力装置とを配置し、公衆回線を用いて、基地局の周辺のエリアに防災情報を音声出力する装置が開示されている。
【０００３】
特に、従来から、電柱や電話支柱に、スピーカを取り付け、自治体から緊急情報を音声出力する屋外拡声装置が知られている。この屋外拡声装置は、一般にトランペットスピーカから音響的に、各種の一般広報や緊急情報を放送し、周辺に居る人々に情報を伝達する装置である。
【先行技術文献】
【特許文献】
【０００４】
【特許文献１】特開２０１０−１０２２７９
【特許文献２】特開２０１０−４４３４１
【特許文献３】特開２００２−２４９７４
【発明の開示】
【発明が解決しようとする課題】
【０００５】
ところが、従来のこの屋外拡声装置によると、一定の音量で音声が出力されるために、スピーカに接近した家屋の住民からは音声がうるさい、スピーカから遠い家屋の住民からは情報が聞き取れないという苦情がある。これらの聞き取れない場合の苦情は、風や雨の強い日や、車両の通行量が多い地域において発生する。逆に、夜間の場合には、スピーカに接近した家屋の住民からは、音声がうるさいとの苦情が発生する。
【０００６】
この問題を解決するために、スピーカを４方向に向けて４つ設けて、各スピーカ毎に、増幅器の出力レベルを調整したり、各スピーカの向きを調整することが行われている。しかしながら、これらの調整だけでは不十分であり、上述した場合に発生する問題を解決することができない。
【０００７】
そこで、本発明は、これらの課題を解決するために成されたものであり、その目的は、環境に即応した出力レベルを実現することで、音声出力がうるさいこと、音声出力が聞き取れないことを防止することである。
【課題を解決するための手段】
【０００８】
上記の課題を解決するための第１発明は、センタから送信される信号に応じて、高所に配置されたスピーカから、そのスピーカが支配する領域に音声を出力するようにした音声報知装置において、スピーカから音声が出力されていない期間において、周囲の環境における騒音レベルを予測又は検出する騒音レベル検知手段と、スピーカに出力する信号を増幅する可変利得増幅器と、センタから送信された信号が緊急情報である場合には、騒音レベル検知手段の出力に係わらず可変利得増幅器の利得を基準値に制御して、スピーカの出力を最大の音声レベルとする緊急時制御手段と、センタから送信された信号が緊急情報でない場合には、騒音レベル検知手段により得られる騒音レベルが所定値以上のときには、可変利得増幅器の利得を、基準値から一段階増加させて、スピーカの出力をセンタから送信される信号に基づく音声レベルより１段階増加させた音声レベルとし、騒音レベル検知手段により得られる騒音レベルが所定値未満の場合には、可変利得増幅器の利得を、基準値として、スピーカの出力をセンタから送信される信号に基づく音声レベルとする第１レベル制御手段と、センタから送信される信号に含まれる音声出力期間を示すデータ信号によりスピーカに給電開始された時にスピーカから出力される起動音と音声とを検出する音声レベル検出手段と、音声レベル検出手段により、起動音が検出された場合には、可変利得増幅器に給電を開始し、音声レベル検出手段により検出される音声レベルが所定レベル以下となる期間が所定時間継続した時に、可変利得増幅器への給電を停止する給電制御手段とを有することを特徴とする音声報知装置である。
また、第２発明は、センタから送信される信号に応じて、高所に配置されたスピーカから、そのスピーカが支配する領域に音声を出力するようにした音声報知装置において、センタから送信される信号は、緊急情報と緊急情報でない情報とあり、緊急情報の信号レベルは最大で、緊急情報でない情報の信号レベルは、緊急情報の信号レベルよりも低く、情報に応じて異なる複数の信号レベルを有しており、スピーカから音声が出力されていない期間において、周囲の環境における騒音レベルを予測又は検出する騒音レベル検知手段と、夜間時間帯、又は、夜間時間帯以外の時間帯である昼間時間帯を設定する時間帯設定手段と、スピーカに出力する信号を増幅する可変利得増幅器と、センタから送信された信号が緊急情報である場合には、騒音レベル検知手段の出力及び現在時刻が時間帯設定手段に設定されている夜間時間帯、又は、昼間時間帯に属するか否かに係わらず可変利得増幅器の利得を基準値に制御して、スピーカの出力を最大の音声レベルとする緊急時制御手段と、センタから送信された信号が緊急情報でない場合には、騒音レベル検知手段により得られる騒音レベルが所定値以上のときには、可変利得増幅器の利得を、基準値から一段階増加させて、スピーカの出力をセンタから送信される信号に基づく音声レベルより１段階増加させた音声レベルとし、騒音レベル検知手段により得られる騒音レベルが所定値未満の場合には、可変利得増幅器の利得を、基準値として、スピーカの出力をセンタから送信される信号に基づく音声レベルとする第１レベル制御手段と、センタから送信された信号が緊急情報でない場合において、現在時刻が時間帯設定手段に設定された時間帯により夜間時間帯に存在すると判定された場合には、可変利得増幅器の利得を、第１レベル制御手段により設定された利得から１段階減少させて、スピーカの出力を第１レベル制御手段により制御される音声レベルより１段階減少させ、現在時刻が時間帯設定手段に設定された時間帯により昼間時間帯に存在すると判定された場合には、可変利得増幅器の利得を変化させずに、スピーカの出力を第１レベル制御手段により制御される音声レベルとする第２レベル制御手段と、センタから送信される信号に含まれる音声出力期間を示すデータ信号によりスピーカに給電開始された時にスピーカから出力される起動音と音声とを検出する音声レベル検出手段と、音声レベル検出手段により、起動音が検出された場合には、可変利得増幅器に給電を開始し、音声レベル検出手段により検出される音声レベルが所定レベル以下となる期間が所定時間継続した時に、可変利得増幅器への給電を停止する給電制御手段とを有することを特徴とする音声報知装置である。
【０００９】
本装置の設置位置は、電柱、電話線支柱や、家屋の屋上や屋根などの高所であるが、特に、限定されるものではない。スピーカの設置数は、任意であり、１又は複数である。複数の場合には、通常は、向きを変化させて設置される。例えば、東西南北の４方向に向けて、４個のスピーカを設置しても良い。スピーカの向きは、変更可能であっても、固定であっても良い。スピーカを複数設ける場合には、音量は、共通に変化させても、各スピーカ毎に、各スピーカの支配する環境に応じて、変化させるようにしても良い。センタの送信する音声信号のレベルの段数は任意である。
【００１０】
【００１１】
夜間時間帯は、可変設定できるようにしても良い。また、季節に応じて、夜間時間帯を変更するようにしても良い。本発明では、第１発明による環境の騒音レベルに応じた可変利得増幅器の利得の設定に対して、さらに、夜間時間帯であれば、１段階、利得が減少される。これにより、夜間のような昼間に比べて静かな環境にある場合には、スピーカの音量が低下されるので、通常情報の報知が騒音となることがない。
【００１２】
センタから送信される信号に含まれる音声出力期間を示すデータ信号に基づいて、音声出力期間においてのみ可変利得増幅器へ給電する給電制御手段を設けても良い。
【００１３】
上記発明において、可変利得増幅器は、利得固定の増幅器と、その増幅器の前段に設けられた可変減衰器とで構成しても良い。また、騒音レベル検知手段は、環境の騒音レベルを検出する騒音センサとすることができる。また、騒音レベル検知手段は、環境の風速又は雨量を検出し、この風速又は雨量から環境の騒音レベルを予測する手段とすることもできる。
【発明の効果】
【００１４】
本発明は、センタから送信される音声信号が緊急情報である場合には、環境の雑音レベルや、夜間時間帯に依存せずに、最大音量でスピーカから音声が出力される。この結果、緊急事態の場合には、情報の伝達を確実に実行することかできる。また、音声信号が通常情報である場合には、環境の雑音レベルや、夜間時間帯によって、減衰量、すなわち、可変利得増幅器の利得が適切に設定される。これにりよ、騒音環境においては、スピーカの出力する音声のレベルが、センタの出力する音声レベルより１段階大きくなり、広報の伝達を確実に行うことができる。また、静かな環境の場合には、センタの出力する音声レベルに相当したレベルの音声が出力されるので、住民に対して騒音となることがない。さらに、夜間においては、スピーカの出力する音声のレベルが、センタの出力する音声レベルより１段階小さくなり、住民に対して騒音となることがない。また、夜間においても、強風、強雨などの騒音環境の場合には、スピーカの出力する音声のレベルは、センタの出力する音声レベルより夜間により１段階小さくなり、騒音環境により１段階大きくなるで、結局、センタの送信する音声信号の音声レベルに相当した音量となり、住民に対して騒音となることがなく、且つ、広報を確実に実行することができる。
【図面の簡単な説明】
【００１５】
【図１】本発明の一実施例に係る音声報知装置を示した構成図。
【図２】音声報知装置のＣＰＵの処理手順を示したフローチャート。
【図３】センタから送信される音声信号の種別、音声レベルと、音声報知装置の可変減衰器に設定される減衰量とスピーカの出力レベルとの関係を示した説明図。
【発明を実施するための最良の形態】
【００１６】
以下、本発明を具体的な実施例に基づいて説明する。本発明は、下記の実施例に限定されるものではない。
【実施例１】
【００１７】
図１は、本実施例に係る音声報知装置１の構成図である。本音声報知装置１は、自治体地域に設置されている電柱、電話支柱などの柱状体やビルや家屋の高所などに取り付けられる。ＭＣＡ受信機１０は、センタ３０から無線信号を受信して、音声をスピーカ１８から出力する装置である。ＭＣＡ受信機１０の音声信号出力端子Ａは、可変減衰器１２に入力し、可変減衰器１２は増幅器１４の入力段に設けられている。可変減衰器１２と増幅器１４とが、可変利得増幅器１５を構成している。増幅器１４の出力は、駆動増幅器１６に入力し、駆動増幅器１６によりスピーカ１８が駆動されて、スピーカ１８から音声が出力される。増幅器１４と駆動増幅器１６の利得は固定されている。
【００１８】
また、ＭＣＡ受信機１０はセンタ３０が送信する信号のうちデータ信号を復調して、信号が緊急情報か、そうでない通常情報かの送信される信号の種別を表す信号が、データ端子Ｂから出力される。すなわち、緊急情報であれば、データ端子ＢはＨレベル、通常情報であればデータ端子ＢはＬレベルとなる。また、センタ３０から送信される信号には、音声情報の出力期間を示す放送開始と放送終了のタイミングを示す情報が含まれている。ＭＣＡ受信機１０は、この出力期間情報を復調して、データ端子Ｃからは、放送開始時刻から放送終了時刻の間Ｈレベルとなる出力期間信号が出力される。ＭＣＡ受信機１０のデータ端子Ｂからの種別信号はＣＰＵ２０に入力している。
【００１９】
また、ＣＰＵ２０には、本音声報知装置１が設置されている環境の騒音レベルを検出するための騒音レベル検出器２２の出力信号が入力している。また、ＣＰＵ２０には夜間時間帯又は昼間時間帯のデータを記憶するメモリ２４が接続されており、ＰＣ２６によりその時間帯を新規設定したり、時間帯を変更したりすることができる。また、ＰＣ２６を用いて、騒音レベル検出器２２の出力する騒音レベルの閾値を、メモリ２４に設定することができる。
【００２０】
ＣＰＵ２０は、ＭＣＡ受信機１０のデータ端子Ｂから出力される緊急情報か、通常情報かを示す種別信号、騒音レベル検出器２２から出力される騒音レベル、現在時刻が夜間時間帯に存在するか否かに基づいて、可変減衰器１２の減衰量を可変設定する。また、ＭＣＡ受信機１０のデータ端子Ｃから出力される出力期間信号は、ＣＰＵ２９、増幅器１４、駆動増幅器１６に給電するためのリレー２９、２８の制御端子に入力している。したがって、データ端子Ｃの電圧レベルがＨレベルの期間、すなわち、放送開始時刻から放送終了時刻の期間、ＣＰＵ２０、増幅器１４、駆動増幅器１６に給電されることになる。なお、騒音レベル検出器２２、メモリ２４は、ＣＰＵ２０から給電されている。また、センタ３０から送信される信号に含まれる音声信号は、出力期間信号の立ち上がり、すなわち、放送開始信号が出力されてから、ＣＰＵ２０、増幅器１４、駆動増幅器１６に給電されて、これらの機器が動作可能状態となる遅延時間の後に、送信される。
【００２１】
また、スピーカ１８は、４つのあり、それぞれは、水平面内で直交する４方向に向かって配設されている。利得可変増幅器１５、駆動増幅器１６、スピーカ１８、リレー２８を１組として、４チャンネル分存在し、上記の４つのスピーカが、それぞれ、独立した減衰量で駆動されるように構成されている。
【００２２】
次に、本音声報知装置１の作用をＣＰＵ２０の制御手順を示した図２のフローチャートに基づいて説明する。まず、センタ３０から送信される音声信号の音声レベルは、３ｄＢ毎の３段階に分かれている。音声情報は、地震波や津波などの到来、火災の発生などの緊急報知を必要とする緊急情報と、緊急性のない広報を目的とした通常情報との種別に分かれている。緊急情報は、音声信号のレベルが最も高く、通常情報は、レベルが中と小との２段階に分かれている。具体的には、緊急情報の音声信号のレベルは０ｄＢ、通常情報は、−３ｄＢと、−６ｄＢとの２種類である。
【００２３】
ＣＰＵ２０に給電されると本プログラムが起動される。ステップ１００では、可変減衰器１２の減衰量Ｄが基準値Ｄ0 に設定される。基準値Ｄ0 は、−３ｄＢに設定されている。なお、下記の説明において、減衰量は、負値で表し、減衰量の大きさは、負値の絶対値を意味し、減衰量の増加は、その負値の絶対値の増加、減衰量の減少は、負値の絶対値の減少を意味するものとする。増幅器１４の利得は、３ｄＢに固定されている。したがって、可変減衰器１２の減衰量Ｄが基準値Ｄ0 の場合には、可変利得増幅器１５の利得は、０ｄＢとなり、スピーカ１８は、ＭＡＣ受信機１０の音声信号出力端子Ａから出力される音声信号が駆動増幅器１６による利得で増幅されたレベルで駆動されることになる。
【００２４】
次に、ステップ１０２において、ＭＡＣ受信機１０のデータ端子Ｂから出力されている種別信号が読み取られる。次に、ステップ１０４において、その種別信号が緊急情報を示すか否かが判定されて、緊急情報である場合には、ステップ１１６に移行して、可変減衰器１２の減衰量が現在設定されている減衰量Ｄ、すなわち、基準値Ｄ0 に設定される。増幅器１４の利得は３ｄＢで固定であるので、この場合には、可変利得増幅器１５の利得は０ｄＢとなり、ＭＣＡ受信機１０の音声信号出力端子Ａから出力された音声信号は、駆動増幅器１６により増幅された後に、スピーカ１８から音声として出力されることになる。この時、スピーカ１８から出力される音声量は、センタ３０が出力する緊急情報の音声信号のレベルに相当した、最大音量となる。
【００２５】
一方、ステップ１０４において、種別信号が通常情報と判定された場合には、ステップ１０６に移行して、騒音レベル検出器２２により環境の騒音レベルが検出される。この騒音レベルは、スピーカ１８から音声が出力される前に検出されるので、音声出力による音圧が騒音として検出されることはない。
【００２６】
次に、ステップ１０８において、検出された騒音レベルが閾値Ｔｈ以上か否かが判定される。騒音レベルが閾値Ｔｈ以上の場合には、ステップ１１０において、可変減衰器１２の減衰量Ｄが、現在設定されている値に対して、補正減衰量Δだけ減少される。補正減衰量Δは、−３ｄＢに設定されている。したがって、この場合には、減衰量Ｄは、基準値Ｄ0 から３ｄＢだけ小さい値、すなわち、０ｄＢとなる。また、騒音レベルが閾値Ｔｈ未満の場合には、減衰量Ｄの補正は行われずに、ステップ１１２に移行する。したがって、この場合には、減衰量Ｄは、基準値Ｄ0 である。
【００２７】
次に、ステップ１１２において、現在時刻がメモリ２４内の夜間時間帯メモリ２４１に設定されている夜間時間帯に属するか否かが判定される。現在時刻が夜間時間帯に属する場合には、ステップ１１４において、可変減衰器１２の減衰量Ｄが、現在設定されている値に対して、補正減衰量Δだけ増加される。すなわち、騒音レベルが閾値Ｔｈ以上の場合には、現在設定されている減衰量Ｄは、０ｄＢであるので、減衰量Ｄは補正減衰量Δだけ増加されて、−３ｄＢとなる。また、騒音レベルが閾値Ｔｈ未満の場合には、現在設定されている減衰量Ｄは、基準値Ｄ0 の−３ｄＢであるので、減衰量Ｄは補正減衰量Δだけ増加されて、−６ｄＢとなる。
【００２８】
また、ステップ１１２において、現在時刻が夜間時間帯でない昼間時間帯に属すると判定された場合には、減衰量Ｄの補正は行われずに、ステップ１１６に移行する。すなわち、減衰量Ｄは、現在時刻に関する減衰量の補正は行われずに、雑音レベルに関する減衰量の補正だけが実行された値となる。
【００２９】
次に、ステップ１１６において、４つのチャネルＣＨ１〜ＣＨ４の可変減衰器１２に減衰量Ｄの値が設定される。可変減衰器１２は、抵抗が並列接続された抵抗ラダー回路からなり、各抵抗に対する通電をスイッチ（リレー、バラクタダイオード）で制御する回路である。可変減衰器１２は、抵抗値の異なる並列回路の選択により減衰量が可変設定される。
【００３０】
ＣＰＵ２０は、ＭＣＡ受信機１０のデータ端子ＣがＬレベルからＨレベルに遷移した時、すなわち、放送開始時刻にリレー２９がオンとなり、ＣＰＵ２０に給電されてから、図２のプログラムが実行されて、ステップ１１６において、減衰量Ｄが可変減衰器１２に設定されるまでの期間は、センタ３０において放送開始信号（出力期間信号のＨレベルへの遷移）を出力して、音声信号が出力されるまでの遅延時間よりも短い時間である。したがって、可変減衰器１２に環境の雑音レベルや時間帯に応じて決定された減衰量Ｄが設定された後に、ＭＣＡ受信機１０の音声信号出力端子Ａから音声信号が出力される。この結果、スピーカ１８からは、設定された減衰量Ｄに応じたレベルの音声が出力される。
【００３１】
センタ３０は、音声信号の出力が完了して一定の遅延時間の後に、放送終了信号（出力期間信号のＬレベルへの遷移）を出力し、ＭＣＡ受信機１０のデータ端子Ｃの電圧は、Ｌレベルに遷移する。これにより、リレー２９、２８はオフ状態となり、ＣＰＵ２０、増幅器１４、駆動増幅器１６への給電が停止されて、音声報知が終了する。
【００３２】
センタ３０から音声信号が送信される毎に、上記の給電、減衰量の設定、給電停止が実行されることになる。なお、緊急時制御手段は、ＣＰＵ２０、ＣＰＵ２０の処理ステップ１０２、１０４、１１６で実現されている。第１レベル制御手段は、ＣＰＵ２０、ＣＰＵ２０の処理ステップ１０６−１１０、１１６で実現されている。第２レベル制御手段は、ＣＰＵ２０、ＣＰＵ２０の処理ステップ１１２−１１６で実現されている。給電制御手段は、ＭＣＡ受信機１０、そのデータ端子Ｂ、リレー２８、２９で構成されている。
【００３３】
次に、センタ３０から送信される音声信号が緊急情報、通常情報（２段階の音声レベル）である場合に、昼間時間帯、夜間時間帯、騒音レベルが閾値Ｔｈ以上、騒音レベルが閾値Ｔｈ未満、の組み合わせにより、減衰器１２に設定される減衰量Ｄの値、スピーカ１８の出力する音声レベルを、図３に示す。ただし、スピーカ１８の出力する音声レベルは、緊急情報の音声がスピーカ１８から出力された場合の音声レベルを０ｄＢとして、他の場合には、それを基準とした相対レベルで表している。
【００３４】
本実施例は、以上の構成を採用することにより、センタ３０から送信される音声信号が緊急情報である場合には、環境の雑音レベルや、夜間時間帯に依存せずに、最大音量でスピーカ１８から音声が出力される。この結果、緊急事態の場合には、情報の伝達を確実に実行することかできる。また、音声信号が通常情報である場合には、環境の雑音レベルや、夜間時間帯によって、減衰量、すなわち、可変利得増幅器１５の利得が適切に設定される。これにりよ、騒音環境においては、スピーカ１８の出力する音声のレベルが、センタ３０の出力する音声レベルより１段階大きくなり、広報の伝達を確実に行うことができる。また、静かな環境の場合には、センタ３０の出力する音声レベルに相当したレベルの音声が出力されるので、住民に対して騒音となることがない。さらに、夜間においては、スピーカ１８の出力する音声のレベルが、センタ３０の出力する音声レベルより１段階小さくなり、住民に対して騒音となることがない。また、夜間においても、強風、強雨などの騒音環境の場合には、スピーカ１８の出力する音声のレベルは、センタ３０の出力する音声レベルより夜間により１段階小さくなり、騒音環境により１段階大きくなるで、結局、センタ３０の送信する音声信号の音声レベルに相当した音量となり、住民に対して騒音となることがなく、且つ、広報を確実に実行することができる。
【００３５】
［変形例］
上記実施例に対する変形例を、以下に説明する。
騒音レベル検出器２２に代えて、雨量計、風速計を用いても良い。すなわち、検出された単位時間当たりの雨量からＣＰＵ２０により騒音レベルを演算し、この値を上記実施例において検出された騒音レベルとしても良い。風速計の場合も、風速と騒音レベルは、相関関係があるので、検出された風速からＣＰＵ２０により騒音レベルを演算し、この値を上記実施例において検出された騒音レベルとしても良い。
【００３６】
ＭＡＣ受信機１０のデータ端子Ｃから出力される出力期間信号をリレー２９、２８の制御端子に入力して、ＣＰＵ２０、増幅器１４、駆動増幅器１６への給電を直接制御しているが、この出力期間信号をＣＰＵ２０に入力して、ＣＰＵ２０による出力信号により増幅器１４、駆動増幅器１６への給電を制御するようにしても良い。この場合には、ＣＰＵ２０には常時、給電するようにしても良いし、ＣＰＵ２０への給電だけ、出力期間信号によりリレー２９をオンオフすることで制御しても良い。
上記実施例では、４つのＣＨを用いているが、可変利得増幅器１５、リレー２８は、共通に１つだけ設けるようにしても良い。ＣＨ数、スピーカ１８の数は、１つ又は２以上の複数であって、任意である。
【００３７】
さらに、風向検出器を設けて、風上、風下の向きを決定し、風下に向かうスピーカには、減衰量を１段階増加させて、出力される音量を１段階低下させ、逆に、風上に向かうスピーカには、減衰量を１段階減少させて、出力される音量を１段階増加させるようにしても良い。
【００３８】
また、ＭＣＡ受信機には、駆動増幅器１６を含んで、一体化されたものも存在する。この装置は、音声信号出力端子と音声信号入力端子のみが設けられており、通常は、この出力端子と入力端子とをＵターンジャックで接続した装置である。この一体型のＭＣＡ受信機を用いる場合には、このＵターンジャックを取り外して、音声出力端子と、図１の可変減衰器１２とを接続し、増幅器１４の出力を音声信号入力端子に接続する。これにより、ＭＣＡ受信機から出力される音声信号は、可変減衰器１２と増幅器１４を通過して、所定利得で増幅された後に、音声信号入力端子を介して駆動増幅器１６に入力することになる。これにより、受信した音声信号を増幅して、スピーカ１８から出力させることができる。
【００３９】
受信機にこの装置を使用する場合には、出力期間信号は受信機の外部に出力されないので、出力期間信号に基づいて、ＣＰＵ２０、増幅器１４への給電の制御ができない。そこで、ＣＰＵ２０は、常時、給電しておいて、マイクロホンをＣＰＵ２０に接続する。駆動増幅器に対する給電は、ＭＣＡ受信機により、直接、制御されるが、放送開始信号が入力されると駆動増幅器に急峻に給電されるので、スピーカから起動音が出力される。この起動音を、マイクロホンで受信して、検出時刻を出力期間信号の立ち上がり、すなわち、放送開始時刻とすることができる。この出力期間信号の立ち上がりに同期して、増幅器１４に給電するようにしても良い。ＣＰＵ２０は、プログラムによりリトリガブルのタイマーを構成して、一定時間を計測する。マイクロホンからの出力がある場合に、その信号をタイマのトリガーとする。これにより、マイクロホンからの出力がなくなってから、一定時間後に、タイマの出力レベルが変化するので、この出力レベルの遷移に同期して給電を停止するようにしても良い。
【産業上の利用可能性】
【００４０】
本発明は、地震、津波の到来、火災の発生などの緊急情報と、一般広報を目的とする通常情報とを、地域に音声報知する地域防災システムに用いることができる。
【符号の説明】
【００４１】
１…音声報知装置
１０…ＭＣＡ受信機
２０…ＣＰＵ
２２…騒音レベル検出器
１２…可変減衰器
１４…増幅器
１５…可変利得増幅器
【図１】
0005249389.tif 000002
【図２】
0005249389.tif 000003
【図３】
0005249389.tif 000004